(57)【要約】【課題】投光口に配備したポスターシートの絵柄や文字柄などをバックライト方式で浮かび上がらせてインテリア性を高めることができることのみならず電飾面が経時的変化の影響を受けることがない電飾ボードを提供する【解決手段】光源を備えた電飾部を収容する枠体（１０）と、コンセント部を構成するレールコンセント（２０）と、レールコンセントに電気的に接触する電源プラグ（３０）と、電源プラグを介して電気的に導通し、ポスターシート等の表示物を電飾する電飾部（４０）と、電源プラグと枠体を連絡し電飾部を回動自在に吊支する吊支ポール（５０）を備えている。【選択図】図１
0003153683.tif 000002
【実用新案登録請求の範囲】
【請求項１】
光源を備えた電飾部を収容する枠体と、
コンセント部を構成するレールコンセントと、
該レールコンセントに電気的に接触する電源プラグと、
該電源プラグを介して電気的に導通しポスター等の表示物を電飾する電飾部とを備えた電飾ボードであって、
該電飾部をＬＥＤとＬＥＤの照射光を導光する導光板とを含んで構成し、
前記電源プラグと前記枠体を連絡し前記電飾部を回動自在に吊支する吊支ポールを備えてなることを特徴とする電飾ボード。
【請求項２】
光源を備えた電飾部を収容する枠体と、
コンセント部を構成するレールコンセントと、
該レールコンセントに電気的に接触する電源プラグと、
該電源プラグを介して電気的に導通しポスター等の表示物を電飾する電飾部とを備えた電飾ボードであって、
前記電飾部をＬＥＤとＬＥＤの照射光を導光する導光板とを含んで構成し、
前記電源プラグと前記枠体を連絡し前記電飾部を回動自在に吊支する吊支ポールを備え、
該吊支ポールはリード線を挿通する管状部材により形成され、前記吊支ポールの先端部には雄ねじ部が形成され、該雄ねじ部は前記電源プラグの底部に形成された雌ねじ部に螺合し、前記吊支ポールの基端部は前記枠体を回動自在に吊支し、
もって前記吊支ポールと前記電源プラグとが形成する螺合部の深浅を調節することにより天井の高に応じて地上からの前記電飾部までの高さを調整可能とすることを特徴とする電飾ボード。
【請求項３】
前記枠体の前面側には前記電飾部を収容する収容部が形成され、前記枠体の背面側には前記吊支ポールの基端部を枢支する受部が形成され、該受部は、対向した一対の立上片と、この立上片の中央において隆起した隆起部を備え、前記立上片の中央には、前記枠体の傾動状態を位置決めする位置決め用の止めねじが挿通する挿通孔が形成され、前記止めねじの先端は、前記挿通孔を挿通し、さらに前記吊支ポールのねじ孔に螺合し前記隆起部に衝接することを特徴とする請求項１または２記載の電飾ボード。
【考案の詳細な説明】
【技術分野】
【０００１】本考案は、給電側電極を備えたレールコンセント（固定側支持体）に取り付けて使用する電飾ボードに関するものである。
【背景技術】
【０００２】従来、蛍光灯（光源）を内蔵する筐体の投光口に透光性を有するパネル材を配し、筐体の周囲壁頂部に電極を有する取付け具（電源ソケット）を設け、取付け具と筐体とを互いに直交する２つの軸線におけるそれぞれの周りで相対回動可能に連結し、給電側電極を備えたレール（固定側支持体）に取付け具をスライド可能に取付け、さらに取付け具の電極とレールの給電側電極とを接触させて電気的に導通し、投光口に絵柄や文字柄を持つ透光性のポスターシートを配備して構成した電飾ボードが提案されている（特許文献１）。
【先行技術文献】
【特許文献１】
【０００３】実用新案登録第３０８１０６５号公報
【考案の概要】
【考案が解決しようとする課題】
【０００４】従来の電飾ボードは、レール（固定側支持体）を用いて設置するため照明スポットの場所を天井の左右方向に変更する自由度を有し、また投光口に配備したポスターシートの絵柄や文字柄などをバックライト方式で浮かび上がらせてインテリア性を高めることができるものの、
（１）光源が蛍光灯であり、経時的変化にともない電飾面に蛍光灯のイメージライン（陰    影）が現われるためバックライト方式として外観上好ましくない事態が生じる、
（２）箱型に形成された筐体は光源である蛍光灯を収容可能とする厚さを必要とするため    電飾ボードを薄型化するのに限界がある、
（３）蛍光灯は照射光が均一でないため電飾面に発光むらが生じやすい、
（４）取付け具は、筐体の周囲壁頂部に固着された支持ブロックと、支持ブロックに締付    ねじを介してその締付ねじの軸線回りに回動可能に取り付けられた門形金具とを介し    て筐体の周囲壁頂部に単に取り付けられているだけであるため、天井の高さに応じて    地上からの電飾面までの高さを調整できる自由度がない、
という問題点があった。【０００５】したがって、本考案の目的は、投光口に配備したポスターシートの絵柄や文字柄などをバックライト方式で浮かび上がらせてインテリア性を高めることができることのみならず電飾面が経時的変化の影響を受けることがない電飾ボードを提供することにある。【０００６】本考案の他の目的は、薄型化が可能な電飾ボードを提供することにある。【０００７】本考案のもう一つ他の目的は、均一な面発光が可能な電飾ボードを提供することにある。【０００８】本考案のさらにもう一つ他の目的は、電源ソケットと枠体とを連結する吊支ポールを配備し、天井の高に応じて地上からの電飾面までの高さの調整が可能な電飾ボードを提供することにある。
【課題を解決するための手段】
【０００９】本考案に係る電飾ボードは、光源を備えた電飾部を収容する枠体と、コンセント部を構成するレールコンセントと、レールコンセントに電気的に接触する電源プラグと、電源プラグを介して電気的に導通しポスター等の表示物を電飾する電飾部とを備えた電飾ボードであって、電飾部をＬＥＤとＬＥＤの照射光を導光する導光板とを含んで構成し、電源プラグと枠体を連絡しかつ電飾部を回動自在に吊支する吊支ポールを備えている。【００１０】また、本考案に係る電飾ボードは、光源を備えた電飾部を収容する枠体と、コンセント部を構成するレールコンセントと、レールコンセントに電気的に接触する電源プラグと、電源プラグを介して電気的に導通しポスター等の表示物を電飾する電飾部とを備えた電飾ボードであって、電飾部をＬＥＤとＬＥＤの照射光を導光する導光板とを含んで構成し、電源プラグと枠体を連絡し電飾部を回動自在に吊支する吊支ポールを備え、該吊支ポールはリード線を挿通する管状部材により形成され、前記吊支ポールの先端部には雄ねじ部が形成され、該雄ねじ部は前記電源プラグの底部に形成された雌ねじ部に螺合し、前記吊支ポールの基端部は前記枠体を回動自在に吊支し、もって前記吊支ポールと前記電源プラグとが形成する螺合部の深浅を調節することにより天井の高に応じて地上からの前記電飾部までの高さを調整可能とするように構成することもできる。【００１１】上記枠体の前面側には上記電飾部を収容する収容部が形成され、上記枠体の背面側には上記吊支ポールの基端部を枢支する受部が形成され、該受部は、対向した一対の立上片と、この立上片の中央において隆起した隆起部を備え、前記立上片の中央には、上記枠体の傾動状態を位置決めする位置決め用の止めねじが挿通する挿通孔が形成され、前記止めねじの先端を、前記挿通孔を挿通し、さらに上記吊支ポールのねじ孔に螺合し前記隆起部に衝接するようにするとよい。
【考案の効果】
【００１２】本考案によれば、次の効果を奏する。
（１）投光口に配備したポスターシートの絵柄や文字柄などをバックライト方式で浮かび    上がらせてインテリア性を高めることができるのみならず薄型化が可能な電飾ボード    が得られる。
（２）均一な面発光が可能な電飾ボードが得られる。
（３）電飾部を吊支する吊支ポールを備え、この吊支ポールと電源プラグの螺合部の深浅    を調節することにより天井の高さに応じて地上からの電飾部までの高さを調整できる    、電飾ボードが得られる。
【図面の簡単な説明】
【００１３】
【図１】本考案に係る電飾ボードを背面側から見た斜視図である。
【図２】同電飾ボードを背面側から見た、構成部品を分離した状態を示す分解斜視図である。
【図３】同電飾ボードの側面図である。
【図４】同電飾ボードの電飾部が回動することを示す側面図である。
【図５】同電飾ボードの電飾部の構成を示す断面拡大略図であり、上下の挟持（係止）部材を分離した状態を示す図である。
【図６】同電飾ボードの設置状態を説明する要部拡大断面略図である。
【図７】同電飾ボードの斜視図である。
【図８】同電飾ボードの構成部品を示す分解斜視図である。
【図９】電飾ボードの他の例を示す斜視図であり、上部の挟持部材をクリップにより構成した図である。
【図１０】図９に示す電飾ボードの構成部品を示す分解斜視図である。
【考案を実施するための形態】
【００１４】本考案では光源としてＬＥＤを使用し、蛍光灯や白熱電球に比べ消費電力が少ない省エネタイプの電飾ボードを構成している。
【００１５】レールコンセントと、このレールコンセントに電気的に接触する電源プラグを配備し、電気配線を引き廻す必要がない電飾ボードを構成している。
【実施例】
【００１６】以下は本考案の実施例についての説明である。
本考案に係る電飾ボード１Ａは、光源を備えた電飾部を収容する枠体１０と、コンセント部を構成するレールコンセント２０と、該レールコンセント２０に電気的に接触する電源プラグ３０と、該電源プラグ３０を介して電気的に導通し、ポスターシート等の表示物８０を電飾する電飾部４０と、前記電源プラグ３０と前記枠体１０を連絡し前記電飾部４０を回動自在に吊支する吊支ポール５０を備えている。符号５は給電ボックス、７はマグネット、８は上部挟持体、９は下部挟持体である。前記上部挟持体８Ａと下部挟持体９とで透明板７０と表示物８０を挟持（係止）する。【００１７】このうち、前記枠体１０の前面側には照明用の光源を備えた電飾部４０を収容する収容部（凹所）１１が形成されている（図５、図８）。また前記枠体１０の背面側には前記吊支ポール５０の基端部を枢支する受部１５が形成されている。この受部１５は、対向した一対の立上片１６，１６と、この立上片１６，１６の中央において条状に隆起した隆起部１７を備えている（図１、図２）。前記立上片１６，１６の中央には、前記枠体１０（及び前記電飾部４０）の傾動状態を所望の角度θにて位置決めする位置決め用の止めねじ１８，１８が挿通する挿通孔１９，１９が形成されている（図２、図４）。前記止めねじ１８，１８の先端は、前記挿通孔１９，１９を挿通し、さらに前記吊支ポール５０のねじ孔５６，５６に螺合し前記隆起部１７に衝接する（図１、図２）。【００１８】前記レール２０は、間隔を隔てて対向して形成した一対の平行なレール部２１，１と給電側電極２２，２とを備えている（図６）。図６の状態は前記給電側電極２２，２２と前記電源プラグ３０に配設した一対の電極３２，３２とが電気的に接触した状態を示している（図６における状態から９０度回転を戻した状態、すなわち前記電源プラグ３０側の首部３３，３３を左右の前記レール部２１，２１の下側からその相互間に嵌合した後、その嵌合状態で軸線Ｒの周りに９０度回転させると図６で示した状態になり、前記電源プラグ３０の係合片３６，３６が、前記レール部２１，２１の内面に係合することによって前記レール部２１，２１にスライド可能に保持されるとともに、前記電極３２，３２が前記給電側電極２２，２２に接触して電気的に導通する）。前記係合片３６と前記レール部２１の内面との係合箇所の接触抵抗によって前記レール部２１に対する前記電源プラグ３０の自由回転が阻止される。【００１９】前記電飾部４０は光源であるＬＥＤ４１と、該ＬＥＤの照射光を導光する導光板４２とにより構成され（図５）、投光口に配備したポスターシートの絵柄や文字柄などをバックライト方式で浮かび上がらせてインテリア性を高めることができるのみならず電飾部の厚さＷの薄型化が可能となり（図５）、さらに、均一な面発光を保障する電飾ボードが得られる。【００２０】前記吊支ポール５０はリード線６０，６０を挿通する管状部材により形成され、先端部には雄ねじ部５２が形成されている（図６）。この雄ねじ部５２は前記電源プラグ３０の底部に形成された雌ねじ部３４に螺合する。また前記吊支ポール５０の基端部は前記枠体１０（及び前記電飾部３０）を回動自在に吊支している。すなわち、前記吊支ポール５０の���端部には二股部５４が形成され、該二股部５４には前記止めねじ１８，１８が螺合するねじ孔５６，５６が形成されている（図２）。かくして、前記吊支ポール５０と前記電源プラグ３０とが形成する螺合部（５２，３４）の深浅Ｌを調節することにより天井の高さに応じて地上からの電飾部までの高さを調整できる電飾ボードが得られる（図６）。【００２１】符号７０は透光性を有するアクリル製の透明板、８０はポスターシート等の表示物である。【００２２】図９、図１０に、上部挟持体をクリップ８Ｂにより電飾ボード１Ｂを形成した例を示す。
【符号の説明】
【００２３】１Ａ    電飾ボード
１Ｂ    電飾ボード
１０    枠体
２０    レールコンセント
３０    電源プラグ
４０    電飾部
５０    吊支ポール
６０    リード線
７０    透明板
８０    表示物
【図１】
0003153683.tif 000003
【図２】
0003153683.tif 000004
【図３】
0003153683.tif 000005
【図４】
0003153683.tif 000006
【図５】
0003153683.tif 000007
【図６】
0003153683.tif 000008
【図７】
0003153683.tif 000009
【図８】
0003153683.tif 000010
【図９】
0003153683.tif 000011
【図１０】
0003153683.tif 000012